(57)【要約】【課題】複数のセルで構成された分析表において、特定のセルに割り当てられている会員を手間なく抽出することができるデータ分析支援システムを提供する。【解決手段】制御手段は、入力手段から期間が指定され、利用履歴情報に基づいた２つの項目が指定され、前記項目の各々に対して数値範囲が複数指定されると、前記各々複数指定された数値範囲を有する２つの項目を座標軸として２次元状にセルが配置された分析表を作成して表示手段に表示し、選択されたセルに属する会員に関する情報が抽出されるデータ分析支援システムである。制御手段は、入力手段から単数または複数の任意のセルが選択されてグループが指定されると、選択されたセルに対して指定されたグループを設定し、前記グループが設定された後、入力手段から分析表中の１つのセルが指定されると、指定されたセルと同一のグループに属する会員に関する情報を抽出可能である。【選択図】        図８
2007075341.tif 000002
【特許請求の範囲】
【請求項１】
登録されている会員に対して店舗の利用履歴を示す利用履歴情報を日時に関する情報とともに記憶したデータベースと、入力手段と、表示手段と、制御手段とを備え、
前記制御手段は、
前記入力手段から期間が指定され、前記利用履歴情報に基づいた２つの項目が指定され、前記項目の各々に対して数値範囲が複数指定されると、前記各々複数指定された数値範囲を有する２つの項目を座標軸として２次元状にセルが配置された分析表を作成して前記表示手段に表示し、前記入力手段からセルが選択されると、選択されたセルに属する会員に関する情報が抽出されるデータ分析支援システムであって、
前記入力手段から単数または複数の任意のセルが選択されてグループが指定されると、選択されたセルに対して指定されたグループを設定し、
前記グループが設定された後、前記入力手段から前記分析表中の１つのセルが指定されると、指定されたセルと同一のグループに属する会員に関する情報を抽出可能である、
ことを特徴とするデータ分析支援システム。
【請求項２】
登録されている会員に対して店舗の利用履歴を示す利用履歴情報を日時に関する情報とともに記憶したデータベースと、入力手段と、表示手段と、制御手段とを備え、
前記制御手段は、
前記入力手段から期間が指定され、前記利用履歴情報に基づいた２つの項目が指定され、前記項目の各々に対して数値範囲が複数指定されると、前記各々複数指定された数値範囲を有する２つの項目を座標軸として２次元状にセルが配置された分析表を作成して前記表示手段に表示し、前記入力手段からセルが選択されると、選択されたセルに属する会員に関する情報が抽出されるデータ分析支援システムであって、
前記入力手段から単数または複数の任意のセルが選択されてグループが指定されると、選択されたセルに対して指定されたグループを設定し、
前記グループが設定された後、前記入力手段からグループ選択操作が行われると、表示している前記分析表において、設定された各々のグループを識別可能に表示し、
前記入力手段から前記識別可能に表示している各々のグループの中から任意のグループが選択されると、選択されたグループに属する会員に関する情報を抽出可能である、
ことを特徴とするデータ分析支援システム。
【請求項３】
請求項１または２に記載のデータ分析支援システムであって、
前記制御手段は、
グループを設定する際、任意に選択したセルに割り当てられた会員数を集計し、当該グループ内の会員数、または全体の会員数に対する当該グループ内の会員数の割合、の少なくとも一方を表示手段に表示する、
ことを特徴とするデータ分析支援システム。
【請求項４】
請求項１〜３のいずれかに記載のデータ分析支援システムであって、
設定した各グループには、前記店舗への貢献度に基づいたレベルを設定可能であり、
表示手段は、
最も前記店舗への貢献度が高いレベルに対応する第１グループに対して、次のレベルに対応する第２グループの会員に関する情報の抽出操作を指示する第２グループ抽出部を表示しており、
前記制御手段は、
前記入力手段から前記第２グループ抽出部が選択されると、前記第２グループに含まれているセルに割り当てられている会員に関する情報を抽出する、
ことを特徴とするデータ分析支援システム。
【請求項５】
請求項１〜４のいずれかに記載のデータ分析支援システムであって、
設定した各グループには、前記店舗への貢献度に基づいたレベルを設定可能であり、
表示手段は、
最も前記店舗への貢献度が高いレベルに対応する第１グループの周囲のセルに割り当てられている会員の抽出操作を指示する第１グループ周辺抽出部を表示しており、
前記制御手段は、
前記入力手段から前記第１グループが設定された後、前記第１グループ周辺抽出部が選択され、更に会員の人数または割合が入力されると、前記分析表中において前記第１グループに隣接する位置のセルから順にセルを選択していくとともに、選択したセルに割り当てられている会員の人数を集計し、集計した人数が前記入力された会員の人数に達するまで、または集計した人数の割合が前記入力された会員の割合に達するまで、セルを順に選択し、選択したセルに割り当てられている会員に関する情報を抽出する、
ことを特徴とするデータ分析支援システム。
【請求項６】
請求項１〜５のいずれかに記載のデータ分析支援システムであって、
前記制御手段は、
所定の期間毎に前記分析表を作成し、
前記分析表において設定されたグループに対応付けたグループ識別情報を、会員毎に期間に対応付けて記憶し、
表示した分析表において、セル毎に、当該セル内に割り当てられた会員が、前回の期間ではどのグループに属していたかを、前記グループ識別情報に基づいて識別可能に表示する、
ことを特徴とするデータ分析支援システム。
【発明の詳細な説明】
【技術分野】
【０００１】
本発明は、登録された会員の店舗の利用履歴のデータに基づいて、会員に対する種々の分析を支援するデータ分析支援システムに関する。
【背景技術】
【０００２】
近年では、遊技場をはじめとして、種々の店舗で集客率等を向上させるために、登録された会員に種々の宣伝等を行ったりしている。
例えば特許文献１に記載した従来技術では、遊技場において、各会員に会員カードを発行し、遊技の際には会員カードを読取器に挿入してもらい、会員が遊技した遊技機の機種やアウト数、セーフ数、特賞回数等の遊技履歴データを収集する。そして遊技履歴データを基に、店舗側で独自に数値を設定したり、加工データを算出するための計算式を設定して会員の遊技趣向性を分析するためのデータベースを作成することのできる遊技場の顧客分析用データベース作成装置が提案されている。
特許文献１に記載した従来技術では、遊技履歴データに基づいた２つの項目を用いて複数の数値範囲を指定し、当該数値範囲を有する２つの項目を座標軸として２次元状にセルが配置された分析表を作表し、各セルに対応する会員に関する情報を抽出することができる遊技場の顧客分析用データベース作成装置が提案されている（特許文献１の明細書の段落番号［００６４］、図１８、図１９参照）。
【特許文献１】特開２００４−８７０３号公報
【発明の開示】
【発明が解決しようとする課題】
【０００３】
特許文献１に記載した従来技術では、分析表のセル数を多くしてより詳細に分析を行うために、座標軸の２つの項目に対する数値範囲を狭くしてセル数を増やすと、会員の抽出に手間がかかる。例えば「優良顧客（店舗への貢献度が高い顧客であり、例えば利用金額が高い顧客）」に宣伝等を行う目的で、優良顧客に該当する会員の抽出を所望する際、「優良顧客」に相当するセルが多い場合、まず「優良顧客」に相当する１つのセルを選択して会員に関する情報を抽出し、更に「優良顧客」に相当する別のセルを選択して会員に関する情報を抽出し、という作業を「優良顧客」に相当する全てのセルに対して行う必要があるので、手間がかかる。また、作業者による誤選択の可能性がある。
本発明は、このような点に鑑みて創案されたものであり、複数のセルで構成された分析表において、特定のセルに割り当てられている会員を手間なく抽出することができるデータ分析支援システムを提供することを課題とする。
【課題を解決するための手段】
【０００４】
上記課題を解決するための手段として、本発明の第１発明は、請求項１に記載されたとおりのデータ分析支援システムである。
請求項１に記載のデータ分析支援システムは、登録されている会員に対して店舗の利用履歴を示す利用履歴情報を日時に関する情報とともに記憶したデータベースと、入力手段と、表示手段と、制御手段とを備える。
前記制御手段は、前記入力手段から期間が指定され、前記利用履歴情報に基づいた２つの項目が指定され、前記項目の各々に対して数値範囲が複数指定されると、前記各々複数指定された数値範囲を有する２つの項目を座標軸として２次元状にセルが配置された分析表を作成して前記表示手段に表示し、前記入力手段からセルが選択されると、選択されたセルに属する会員に関する情報が抽出されるデータ分析支援システムである。
そして前記制御手段は、前記入力手段から単数または複数の任意のセルが選択されてグループが指定されると、選択されたセルに対して指定されたグループを設定し、前記グループが設定された後、前記入力手段から前記分析表中の１つのセルが指定されると、指定されたセルと同一のグループに属する会員に関する情報を抽出可能である。
【０００５】
また、本発明の第２発明は、請求項２に記載されたとおりのデータ分析支援システムである。
請求項２に記載のデータ分析支援システムは、登録されている会員に対して店舗の利用履歴を示す利用履歴情報を日時に関する情報とともに記憶したデータベースと、入力手段と、表示手段と、制御手段とを備える。
前記制御手段は、前記入力手段から期間が指定され、前記利用履歴情報に基づいた２つの項目が指定され、前記項目の各々に対して数値範囲が複数指定されると、前記各々複数指定された数値範囲を有する２つの項目を座標軸として２次元状にセルが配置された分析表を作成して前記表示手段に表示し、前記入力手段からセルが選択されると、選択されたセルに属する会員に関する情報が抽出されるデータ分析支援システムである。
そして前記制御手段は、前記入力手段から単数または複数の任意のセルが選択されてグループが指定されると、選択されたセルに対して指定されたグループを設定し、前記グループが設定された後、前記入力手段からグループ選択操作が行われると、表示している前記分析表において、設定された各々のグループを識別可能に表示し、前記入力手段から前記識別可能に表示している各々のグループの中から任意のグループが選択されると、選択されたグループに属する会員に関する情報を抽出可能である。
【０００６】
また、本発明の第３発明は、請求項３に記載されたとおりのデータ分析支援システムである。
請求項３に記載のデータ分析支援システムは、請求項１または２に記載のデータ分析支援システムであって、前記制御手段は、グループを設定する際、任意に選択したセルに割り当てられた会員数を集計し、当該グループ内の会員数、または全体の会員数に対する当該グループ内の会員数の割合、の少なくとも一方を表示手段に表示する。
【０００７】
また、本発明の第４発明は、請求項４に記載されたとおりのデータ分析支援システムである。
請求項４に記載のデータ分析支援システムは、請求項１〜３のいずれかに記載のデータ分析支援システムであって、設定した各グループには、前記店舗への貢献度に基づいたレベルを設定可能であり、表示手段は、最も前記店舗への貢献度が高いレベルに対応する第１グループに対して、次のレベルに対応する第２グループの会員に関する情報の抽出操作を指示する第２グループ抽出部を表示している。
そして前記制御手段は、前記入力手段から前記第２グループ抽出部が選択されると、前記第２グループに含まれているセルに割り当てられている会員に関する情報を抽出する。
【０００８】
また、本発明の第５発明は、請求項５に記載されたとおりのデータ分析支援システムである。
請求項５に記載のデータ分析支援システムは、請求項１〜４のいずれかに記載のデータ分析支援システムであって、設定した各グループには、前記店舗への貢献度に基づいたレベルを設定可能であり、表示手段は、最も前記店舗への貢献度が高いレベルに対応する第１グループの周囲のセルに割り当てられている会員の抽出操作を指示する第１グループ周辺抽出部を表示している。
そして前記制御手段は、前記入力手段から前記第１グループが設定された後、前記第１グループ周辺抽出部が選択され、更に会員の人数または割合が入力されると、前記分析表中において前記第１グループに隣接する位置のセルから順にセルを選択していくとともに、選択したセルに割り当てられている会員の人数を集計し、集計した人数が前記入力された会員の人数に達するまで、または集計した人数の割合が前記入力された会員の割合に達するまで、セルを順に選択し、選択したセルに割り当てられている会員に関する情報を抽出する。
【０００９】
また、本発明の第６発明は、請求項６に記載されたとおりのデータ分析支援システムである。
請求項６に記載のデータ分析支援システムは、請求項１〜５のいずれかに記載のデータ分析支援システムであって、前記制御手段は、所定の期間毎に前記分析表を作成し、前記分析表において設定されたグループに対応付けたグループ識別情報を、会員毎に期間に対応付けて記憶する。
そして表示した分析表において、セル毎に、当該セル内に割り当てられた会員が、前回の期間ではどのグループに属していたかを、前記グループ識別情報に基づいて識別可能に表示する。
【発明の効果】
【００１０】
請求項１に記載のデータ分析支援システムを用いれば、より詳細に分析するためにセル数を増加させても、複数の任意のセルを選択して「グループ」を設定することで、分析表中の１つのセルを選択するだけで、当該セルと同一の「グループ」に属する全てのセルから会員に関する情報を抽出することができる。
このため、複数のセルで構成された分析表において、所望する複数のセルに「グループ」を設定して、特定のセル（同一「グループ」に設定されたセル）に割り当てられている会員に関する情報を手間なく抽出することができる。
【００１１】
請求項２に記載のデータ分析支援システムを用いれば、より詳細に分析するためにセル数を増加させても、複数の任意のセルを選択して「グループ」を設定した後、グループ選択操作を行うことで、分析表において、各グループを識別可能に表示する。そして識別可能に表示されたグループの中から任意のグループを選択することで、選択したグループに属する全てのセルから会員に関する情報を抽出することができる。請求項１が「セルを選択することでグループを選択」することに対し、請求項２では「グループを表示するとともに当該グループを直接選択」することを可能にしている。
このため、複数のセルで構成された分析表において、所望する複数のセルに「グループ」を設定して、特定のグループに割り当てられている会員に関する情報を手間なく抽出することができる。
【００１２】
また、請求項３に記載のデータ分析支援システムによれば、各グループに、どれくらいの人数または割合の会員を割り当てるか決まっている場合等において便利であり、グループの指定をより容易に行うことができる。
【００１３】
また、請求項４に記載のデータ分析支援システムによれば、宣伝等をしなくても来店してくれると期待できる最も店舗への貢献度が高いレベル（例えば店舗での利用金額が最も高いレベル）の第１グループの会員を除き、集客率を向上させるための販売促進の効果（宣伝効果等）が非常に高いと推定される第２グループ（店舗への貢献度が次に高いレベル）に属する会員に関する情報を自動的に抽出してくれるので、便利である。
【００１４】
また、請求項５に記載のデータ分析支援システムによれば、請求項４に対して、集客率を向上させるための販売促進の効果（宣伝効果等）が非常に高いと推定される第１グループ（最も店舗への貢献度が高いレベル）以外のグループの会員を、最も第１グループに近い存在であるセルから順に、指定した人数または指定した割合に達するまで自動的に抽出する。
このため、入力された人数または割合に達するまで、集客率を向上させるための販売促進の効果（宣伝効果等）が非常に高いと推定される会員に関する情報を自動的に抽出してくれるので、便利である。
【００１５】
また、請求項６に記載のデータ分析支援システムによれば、各期間の分析表にて、例えば前回の期間での第１グループに属していた会員が、今回の期間での分析表中のどこに属するのか容易に判断でき、当該会員に対して有効な宣伝等を行うことができるので、便利である。
【発明を実施するための最良の形態】
【００１６】
以下に本発明を実施するための最良の形態を図面を用いて説明する。
図１は、遊技場を店舗の例とした場合において、会員の店舗の利用履歴を示す利用履歴情報を収集するための遊技場内の各機器の接続の例を示している。例えば図１の場合は、利用履歴情報を収集する店舗サーバ１０に本発明のデータ分析支援システムの機能を持たせてもよい。
また、図２は、店舗Ａ〜店舗Ｎの各店舗の店舗サーバ１０をインターネット２に接続し、各店舗サーバ１０からの利用履歴情報を収集する本部サーバＳＶをインターネット２に接続した接続の例を示している。インターネット２に接続された本部サーバＳＶにて各店舗サーバ１０からの利用履歴情報を収集し、当該本部サーバＳＶに本発明のデータ分析支援システムの機能を持たせてもよい。
以下の説明では、店舗Ａ〜店舗Ｎを遊技場の各チェーン店として、店舗Ａ〜店舗Ｎとは物理的に離れた遠隔地の本部に設けられた本部サーバＳＶにてデータ分析支援システムを構成する場合を例として説明する。
【００１７】
●［店舗における各機器の接続（図１）］
図１に示すように、例えば遊技場には、店舗サーバ１０、遊技場内の各島に配置される島ユニット２０、遊技機５０に接続される台ユニット３０、遊技機５０に併設される台端末装置４０、遊技機５０、遊技機５０の台番号等を表示する表示装置６０、プリペイドカード発行機７０、計数器７１、景品交換機７２等の機器が設けられており、各機器は通信回線８１、９１等を介して接続されている。
【００１８】
台端末装置４０は遊技媒体貸出装置であり、会員カード受付口にて受付けた会員カードから読み取った会員ＩＤ、プリペイドカード受付口にて受付けたプリペイドカードから引き落とした金額、あるいは投入された現金に関する情報を会員ＩＤや台番号とともに通信回線９１を介して店舗サーバ１０に送信する。
台ユニット３０は、自己に接続された遊技機５０の遊技データを通信回線８３を介して検出（受信）し、検出（受信）した遊技データを台番号とともに島ユニット２０及び通信回線８２、８１を介して店舗サーバ１０に送信する。台ユニット３０は、例えば所定時間毎（１分毎等）に、セーフ数（遊技媒体の払出数）、アウト数（遊技媒体の投入数）、始動回数（遊技機の図柄が変動した回数）、特賞状態（遊技媒体の払出数が投入数よりも大幅に多い（セーフ数よりも多い）状態）等を、遊技機５０から検出し、島ユニット２０を介して店舗サーバ１０に送信する。
【００１９】
店舗サーバ１０は、台端末装置４０や台ユニット３０から上記に説明したような各種の情報を収集し、利用履歴情報を作成して記憶手段（データベースに相当）に記憶する。なお、記憶手段は店舗サーバ１０からアクセス可能であれば、どこに配置されていてもよく、図１では店舗サーバ１０が内部に記憶手段を備えている例を示している。
【００２０】
●［本部サーバＳＶと各店舗サーバ１０との接続（図２）］
図２に示すように、本部サーバＳＶと各店舗サーバ１０とはインターネット２を介して接続されている。例えば店舗サーバ１０は、閉店後に当日の利用履歴情報を店舗ＩＤとともに本部サーバＳＶに送信する。そして本部サーバＳＶは、各店舗サーバ１０からの利用履歴情報を収集し、チェーン店全体の利用履歴情報Ｍ１３（図４参照）を作成して記憶手段（データベースに相当）に記憶する。なお、記憶手段は本部サーバＳＶからアクセス可能であれば、どこに配置されていてもよく、図２では本部サーバＳＶが内部に記憶手段を備えている例を示している。
【００２１】
●［本部サーバＳＶに記憶されている情報（図３、図４）］
図３に、本部サーバＳＶの記憶手段（データベースに相当）に記憶している会員登録情報Ｍ１２の例を示す。会員登録情報Ｍ１２には、店舗Ａ〜店舗Ｎで登録された会員に関する情報が記憶されている。
「会員ＩＤ」には、会員を特定可能な識別情報が記憶されている。
「登録店舗ＩＤ」には、当該会員ＩＤの会員が登録された店舗を特定可能な識別情報が記憶されている。
「ユーザ名」には、当該会員ＩＤの会員を特定可能なユーザ名称が記憶されている。
「パスワード」には、当該会員ＩＤの会員を照合するための暗証番号が記憶されている。
「メールアドレス」には、当該会員ＩＤの会員にメールを送信する場合の送信先が記憶されている。
「電話番号」には、当該会員ＩＤの会員に連絡可能な電話番号が記憶されている。
その他、「登録日」、「生年月日」、「性別」等、会員に関するデータが記憶されている。
【００２２】
図４に、本部サーバＳＶの記憶手段（データベースに相当）に記憶している利用履歴情報Ｍ１３の例を示す。利用履歴情報Ｍ１３には、店舗Ａ〜店舗Ｎで会員が店舗を利用した履歴に関する情報が記憶されており、各利用日における会員の利用履歴を集計して記憶している。
「会員ＩＤ」には、当該利用履歴に対応する会員の会員ＩＤが記憶されている。
「利用日」には、当該会員ＩＤの会員が利用した年月日（日時に関する情報（時刻や時間がなくて日にちのみの場合もある））が記憶されている。
「利用店舗ＩＤ」には、「利用日」において当該会員ＩＤの会員が利用した店舗を特定可能な識別情報が記憶されている。
「利用金額」には、「利用日」において当該会員ＩＤの会員が使用した金額に関する情報が記憶されている。
「アウト数」には、「利用日」において当該会員ＩＤの会員が遊技機に投入した遊技媒体数が記憶されている。
「セーフ数」には、「利用日」において当該会員ＩＤの会員が遊技機から払出を受けた遊技媒体数が記憶されている。
その他、「始動数」、「特賞回数」等、利用履歴に関する情報（この場合、遊技場を例にしているので遊技履歴に関する情報）が記憶されている。
【００２３】
●［本発明のデータ分析支援システムの機能（図５〜図１０、図１２）］
次に、図５〜図１０を用いて、本発明のデータ分析支援システムの機能について説明する。
以下、本部サーバＳＶに本発明のデータベース支援システムのプログラムがインストールされており、会員登録情報Ｍ１２（図３参照）、利用履歴情報Ｍ１３（図４参照）が記憶されている場合の例で説明する。
なお、以下の説明に用いる本部サーバＳＶは、記憶手段（データベースに相当）と制御手段と入力手段と表示手段を備えている。
【００２４】
［１．メニュー画面（図５（Ａ））］
本部サーバＳＶの入力手段から、オペレータ等が前記プログラムを起動すると、表示手段には図５（Ａ）に示すメニュー画面Ｍ０１が表示される。
メニュー画面Ｍ０１から分析期間Ｍ０１ａが入力（指定）され、項目選択部Ｍ０１ｂにて分析表を作成する際の２つの項目（この例では、「来店回数と利用金額」の２項目、または「来店回数と投入遊技媒体数」の２項目を選択可能）が入力（指定）されると、制御手段は、図５（Ｂ）に示す分析表表示画面Ｍ０２を表示する。なお、項目選択部Ｍ０１ｂには、後述する「分析表の座標軸の設定」にて設定したものが自動的に追加される。
【００２５】
［２．分析表表示画面（図５（Ｂ））］
分析表表示画面Ｍ０２では、タイトル表示部Ｍ０２ａに、メニュー画面Ｍ０１にて分析表の座標軸として指定された２つの項目名を含む分析表名称（この場合「来店回数−利用金額  相関関係分析表」）と、メニュー画面Ｍ０１にて指定された分析期間が表示される。
ここで、分析表は２つの項目（この場合、「来店回数」と「利用金額」）を座標軸として２次元状に複数のセルが配置されており、「２つの項目」は利用履歴情報Ｍ１３に基づいた項目である。なお、「来店回数」は利用履歴情報Ｍ１３に直接的な項目として記憶されていないが、例えば本部サーバＳＶは、２００５年８月１日〜２００５年８月３１日までの期間で会員ＩＤ「００１」の会員の来店回数を求める場合、利用履歴情報Ｍ１３から「利用日」が２００５年８月１日〜２００５年８月３１日のデータを抽出し、更にそのデータの中から「会員ＩＤ」が００１のデータを抽出し、その数をカウントすることで来店回数を認識することができる。
【００２６】
分析表表示画面Ｍ０２において、図５（Ｂ）に示す例では、縦軸Ｍ０２ｃは来店回数であり、横軸Ｍ０２ｂは利用金額である。また、縦軸及び横軸は、それぞれ複数の数値範囲が指定されている。この縦軸と横軸の指定方法、及びそれぞれの軸の数値範囲の指定方法については後述する。
また、図５（Ｂ）の分析表表示画面Ｍ０２に示すように、本実施の形態の例では、セルＳは３段で構成されており、上段は該当するセルＳに属する会員の人数が表示される。例えば図５（Ｂ）において、セルＳ（来店回数２４〜２０回、利用金額２９９，９９９〜１００，０００）に該当する会員は、利用履歴情報Ｍ１３から８人が該当していると認識されて表示されている。
【００２７】
また図５（Ｂ）中におけるセルＳの中段の左側は、「当該セルＳに属する会員人数／当該セルＳを含む縦方向の全セルの会員の人数の合計」が％で表示されている（この例でセルＳの場合、８／６８＝０．１２＝１２［％］）。またセルＳの中段の右側は、「当該セルＳに属する会員人数／当該セルＳを含む横方向の全セルの会員の人数の合計」が％で表示されている（この例でセルＳの場合、８／１８＝０．４４＝４４［％］）。
また制御手段は、ボタンＭ０２ｅの中から「設定」ボタンが選択されると、分析表における縦軸と横軸の設定、及び各軸の数値範囲の設定が可能となる「分析表設定画面Ｍ０３」（図６）を表示する。
【００２８】
［３．分析表設定画面（図６）］
図６の例に示すように、分析表設定画面Ｍ０３では、分析表の「枠（軸及び数値範囲）」を設定することができる。
例えば項目設定ボタンＭ０３ａにて「カテゴリＡ（縦軸）」を選択すると、項目選択補助画面Ｍ０３１が表示され、この項目選択補助画面Ｍ０３１にて「来店回数」を選択すると、縦軸用の数値範囲入力補助画面Ｍ０３２が表示される。数値範囲入力補助画面Ｍ０３２にて入力した複数の数値範囲が、図５（Ｂ）に示す分析表表示画面Ｍ０２における縦軸Ｍ０２ｃの名称及び各数値範囲に反映される。
また、項目設定ボタンＭ０３ａにて「カテゴリＢ（横軸）」を選択すると、項目選択補助画面Ｍ０３１が表示され、この項目選択補助画面Ｍ０３１にて「利用金額」を選択すると、横軸用の数値範囲入力補助画面Ｍ０３３が表示される。
【００２９】
また、カテゴリＡ及びカテゴリＢの選択が、図５（Ａ）に示すメニュー画面Ｍ０１の項目選択部Ｍ０１ｂに存在しない場合、制御手段は、当該カテゴリＡ及びカテゴリＢを含む項目を自動的に追加する。
なお、図６に示す例では、既に設定されているグループを識別可能に表示している。
制御手段は、ボタンＭ０３ｂの中から「グループ設定」ボタンが選択されると、分析表中に２次元状に配置されている各セルに単数または複数の任意のセル毎のグループを設定することが可能となる「グループ設定画面Ｍ０４」（図７）を表示する。
【００３０】
［４．グループ設定画面（図７）］
グループ設定画面Ｍ０４では、制御手段は分析表設定画面Ｍ０３にて設定した２つの各カテゴリを、それぞれ、縦軸Ｍ０４ａ、横軸Ｍ０４ｂにとり、この縦軸Ｍ０４ａ、横軸Ｍ０４ｂが、分析表設定画面Ｍ０３にて設定した数値範囲を用いて区分けされた分析表を表示する。オペレータは、この分析表のセルの中から任意のセルを選択して所望するグループを設定することができる。
なお、グループがオーバーラップ（複数のグループに重複）するように設定することも可能である。図７の例では、セル２５、セル３５、セル４６がオーバーラップしている。
例えば、セル１、セル２、セル３、セル１１、セル１２、セル１３を第１グループに設定する場合、オペレータは、当該セルを１つずつ選択した後、グループ名指定部Ｍ０４ｃにて「第１グループ」を選択（指定）し、グループ設定ボタンＭ０４ｆにて「登録」を選択（指定）する。なお、グループ名入力部Ｍ０４ｄには、任意の文字列を入力することが可能である。
【００３１】
なお、上記のセルを１つずつ選択中、またはグループ名指定部Ｍ０４ｃにて「第１グループ」を選択した際、該当人数・割合表示部Ｍ０４ｅに、選択したセルに該当する会員の人数または割合の少なくとも一方を表示すると便利である。たとえば「第１グループ（優良顧客グループ）の枠は６０人」とか「第１グループ（優良顧客グループ）の割合は１０％前後」と決まっているような場合、第１グループのセルをどこまで選択するべきか、容易に判断することができる。
また第１グループ、第２グループ・・第Ｎグループは、この順でレベルが設定されており、第１グループが最も高いレベル（最も店舗にとって優良であるレベル（店舗への貢献度が最も高いレベル））に設定されており、第２グループが次に高いレベルに設定されている。
【００３２】
［５．グループに該当する会員に関する情報の抽出（１）（図８）］
以上の操作にて、分析表の形態が図６の分析表設定画面Ｍ０３から行われ、グループの設定が図７のグループ設定画面Ｍ０４から行われた後、例えば図５（Ｂ）に示す分析表表示画面Ｍ０２において１つのセルを選択（指定）してボタンＭ０２ｄから「グループセル選択」が選択（指示）されると、選択したセルと同一のグループ（この場合、第２グループ（図６参照））に属する全てのセル（この場合、一点鎖線内のセル４、セル５、セル１４、セル１５、セル２１〜セル２５、セル３１〜セル３５）に割り当てられている会員に関する情報を抽出する。この抽出結果の一例を、図８の下の表（Ｍ１２Ａ）に示した。
なお、以降の説明にて記載する「会員に関する情報」とは、例えば会員登録情報Ｍ１２から抽出した会員のユーザ名やメールアドレス等の連絡先である。
【００３３】
例えば、第２グループの会員は、来店回数と利用金額が、最もレベルが高い第１グループ（優良顧客グループ）までは達していないが、第３グループや第４グループの会員に対して、店舗から宣伝等を行うと来店する確率が高いと考えられる会員である。
そこで、第２グループの会員に関する情報を抽出して、抽出した会員に店舗からの宣伝メール等を送信すれば、宣伝費用に対する効果（来店人数）が非常に高くなる。本実施の形態にて説明したデータ分析支援システムでは、この第２グループの会員の抽出を、適切に且つ瞬時に行うことができるため、非常に便利である。
もちろん、第２グループの抽出のみでなく、他のグループも同様に、１つのセルを選択するだけで、選択したセルと同一のグループの会員に関する情報を抽出することができる。
【００３４】
なお、入力手段にマウス等を用いて、１つのセルを選択した後、例えば左クリックを行うと「選択したセルに割り当てられている会員に関する情報を抽出」して、例えば右クリックを行うと「選択したセルと同一のグループに属する全てのセルに割り当てられている会員に関する情報を抽出」するように構成することもできる。この場合、ボタンＭ０２ｄから「個別セル選択」「グループセル選択」を省略してもよい。
【００３５】
［６．グループに該当する会員に関する情報の抽出（２）（図１２）］
上記の「５．グループに該当する会員に関する情報の抽出（１）」では、分析表表示画面Ｍ０２の分析表の中から１つのセルを選択選択した後、当該セルを含むグループに属するセルに割り当てられている会員に関する情報を抽出する実施例を説明した。
これに対して本実施例では、分析表表示画面Ｍ０２にてグループ選択操作（例えば「グループセル選択」ボタンを操作）をすると、表示されている分析表において、設定されている各々のグループを識別可能に表示し、任意のグループが選択されると、そのグループに属する会員に関する情報を抽出する。つまり、セルを選択することなく、直接グループを選択するものである。
【００３６】
例えば、グループの設定が図７のグループ設定画面Ｍ０４から行われた後、図１２に示す分析表表示画面Ｍ０２において、セルを選択することなくボタンＭ０２ｄから「グループセル選択」が選択（操作）されると、分析表において、設定されている各々のグループの領域が識別可能となるように表示する。図１２の例では、制御手段は、実線で囲まれた領域のグループ、一点鎖線で囲まれた領域のグループ、二点鎖線で囲まれた領域のグループ、点線で囲まれたグループ、の４つのグループが設定されていることをオペレータに識別可能に表示している。
【００３７】
また、セルを選択することなくボタンＭ０２ｄから「グループセル選択」を選択（操作）した時点で、制御手段は「グループ選択モード」へと動作状態を遷移させ、セル単位の選択を禁止し、グループ単位の選択のみを許可する。
例えば「グループ選択モード」では、図１２の分析表の表示例において一点鎖線で囲まれたグループにおけるどの部分（どのセル）を選択しても、当該一点鎖線で囲まれたグループに属する会員に関する情報を抽出する。この抽出結果の一例を、図１２の下の表（Ｍ１２Ａ）に示した。
【００３８】
なお「グループ選択モード」では、グループ領域以外のセル部分を選択するとは不可能であり、「グループ選択モード」を解除するには、再度「グループセル選択」を選択（操作）する等、種々の方法で解除可能に構成することができる。
また、複数のグループがオーバーラップしている部分（セル）が選択されると、オーバーラップしている複数のグループに属する全ての会員に関する情報を抽出する。
【００３９】
［７．販売促進効果の高い会員に関する情報の自動抽出（図９）］
上記の図８では、販売促進効果の高いグループ（第２グループ）の会員に関する情報を、１つのセルを選択するだけで自動的に抽出したが、図９の例では販促会員に関する情報を抽出可能なボタンＭ０２ｆを備えている。例えば販促会員に関する情報を抽出可能なボタンＭ０２ｆの中から「販促グループ抽出（第２グループ抽出部に相当）」を選択すると、予め１つのセルを選択しなくても、販売促進効果の高いグループ（第２グループ）の会員に関する情報を自動的に抽出でき、更に便利である。
また、販促会員に関する情報を抽出可能なボタンＭ０２ｆの中から「販促人数／割合指定（第１グループ周辺抽出部に相当）」を選択すると、販売促進用の宣伝等を行う人数または割合を入力するだけで販売促進効果の高い会員を、指定した人数または指定した割合で抽出することができる。
【００４０】
例えば販促会員に関する情報を抽出可能なボタンＭ０２ｆの中から「販促人数／割合指定」を選択すると、人数／割合入力補助画面Ｍ０２１が表示される。ここで、例えば「人数を指定」を選択し、その人数（この場合、１００人）を指定（入力）する。
すると、制御手段は、優良顧客である第１グループに隣接する位置のセルから順にセルを選択し、選択したセルに割り当てられている会員の人数を集計し、集計した人数が、人数／割合入力補助画面Ｍ０２１で入力した人数に達するまでセルを選択する。そしてセルの選択が終了すると、選択したセルに割り当てられている会員に関する情報を自動的に抽出する。
例えば、図９の例では、優良顧客である第１グループに隣接するセル４、セル１４、セル２１、セル２２、セル２３、セル２４、セル５、セル１５、セル２５、セル３１・・セル３５という順に、選択していく。なお、隣接するセルの選択の順序は、第１グループに近い距離のセルから順に選択し、同じ距離の位置である場合には特に順序を限定しない。
【００４１】
なお、人数／割合入力補助画面Ｍ０２１で「割合を指定」を選択し、その割合を指定（入力）した場合、指定した割合に達するまで、上記と同様にしてセルを選択し、選択したセルに割り当てられている会員に関する情報を自動的に抽出する。
【００４２】
なお、上記の説明では、自動的にセルを選択して、選択したセルに割り当てられている会員に関する情報を自動的に抽出したが、［４．グループ設定画面（図７）］にて説明したグループの設定に適用することができる。
例えば図７に示すグループ設定画面Ｍ０４にて「セル１」を選択し、「自動グループ設定ボタン（図示省略）」を選択して人数または割合の少なくとも一方を入力すると、上記と同様に、隣接するセルから順にセルを選択し、その人数または割合に達するまでセルを選択し、グループを自動的に設定する。そして設定されたグループを選択し、更に「自動グループ設定ボタン（図示省略）」を選択すれば、次のレベルのグループを自動的に設定することができる。
【００４３】
［８．優良顧客の推移の表示（図１０、図１１）］
例えば図５（Ｂ）の例に示す分析表表示画面Ｍ０２を毎月、定期的に作成した場合、前回の分析表では第１グループ（優良顧客グループ）に属していたが今回の分析表では第１グループに属さなくなった、という会員も居る。このような会員に対して適切な宣伝等を行えば、再度第１グループに属する（復帰する）ようになることが期待できる。
そこで、表示手段に表示した今回の期間の分析表中において、顧客が属するグループの経時的な推移（具体的には、セル毎に、当該セル内に割り当てられた会員が、前回の期間ではどのグループに属していたか）を識別可能に表示すると便利である。特に、前回の期間で第１グループに属していた会員が、今回の期間ではどのセルに割り当てられているかを識別可能に表示できることが好ましい。
【００４４】
例えば今回の分析表の期間が２００５年８月１日〜２００５年８月３１日であり、前回の分析表の期間が２００５年７月１日〜３００５年７月３１日の場合を例とする。また、分析表表示画面Ｍ０２を構成する２つの座標軸（２つの項目）が来店回数（縦軸）と利用金額（横軸）である場合の例で説明する。
図１０（Ａ）の例は、分析表表示画面Ｍ０２の表示例である。図５（Ｂ）の例に対して、優良顧客関連ボタンＭ０２ｇと、販促会員に関する情報を抽出可能なボタンＭ０２ｆが追加されている。なお、販促会員に関する情報を抽出可能なボタンＭ０２ｆについては既に説明をしているので説明を省略する。
優良顧客関連ボタンＭ０２ｇの「優良顧客推移表示」を選択すると、図１０（Ｂ）の例に示すように、前回の分析表において第１グループに属していた会員が存在するセルについて、識別可能に表示する。この例では、各セルに割り当てられた会員の中で、前回の分析表にて第１グループと判定されていた会員が居る場合、該当するセルの下段にて識別可能に表示している。この例では、該当するセルの下段に、該当する会員の人数を表示するとともに当該下段の色彩等を変更して識別可能に表示している。
【００４５】
図１０（Ｂ）の例に示す分析表表示画面Ｍ０２を見れば、第１グループ（優良顧客グループ）の周囲に、前回の分析表において第１グループであった会員が散在していることが容易に判断することができる。
更に、図１０（Ａ）または図１０（Ｂ）に示す分析表表示画面Ｍ０２において優良顧客関連ボタンＭ０２ｇの「優良顧客復帰希望会員抽出」を選択すると、前回の分析表では第１グループであったが今回の分析表では第１グループでなくなった会員を自動的に抽出する。つまり、図１０（Ｂ）の例では点線で囲ったセルに割り当てられている会員であって、且つ前回の分析表では第１グループであった会員に関する情報を抽出する。
【００４６】
この機能を実現するため、図１１に示すように、会員登録情報Ｍ１２に新たな項目を追加して記憶する。
図１１に示す会員登録情報Ｍ１２は、図３に示す会員登録情報Ｍ１２に対して「分析表種類１今回グループ」「分析表種類１前回グループ」「分析表種類２今回グループ」「分析表種類２前回グループ」という項目が追加されている。
例えば「分析表種類１今回グループ」には、分析表における２つの座標軸（分析表の種類に相当）が、来店回数（縦軸）と利用金額（横軸）である場合であって、今回の期間において第１グループであった場合に「１」がセットされ、第２グループであった場合は「２」がセットされ、グループに応じたグループ識別情報がセットされる。なお、（８月）、（７月）は、該当する期間を示している。
また「分析表種類１前回グループ」には、分析表における２つの座標軸が、来店回数（縦軸）と利用金額（横軸）である場合であって、前回の期間において第１グループであった場合に「１」がセットされ、第２グループであった場合は「２」がセットされ、グループに応じたグループ識別情報がセットされる。
【００４７】
また、例えば「分析表種類２今回グループ」には、分析表における２つの座標軸（分析表の種類に相当）が、来店回数（縦軸）と投入遊技媒体数（横軸）である場合であって、今回の期間において第１グループであった場合に「１」がセットされ、第２グループであった場合は「２」がセットされ、グループに応じたグループ識別情報がセットされる。なお、（８月）、（７月）は、該当する期間を示している。
また「分析表種類２前回グループ」には、分析表における２つの座標軸が、来店回数（縦軸）と投入遊技媒体数（横軸）である場合であって、前回の期間において第１グループであった場合に「１」がセットされ、第２グループであった場合は「２」がセットされ、グループに応じたグループ識別情報がセットされる。
【００４８】
例えば本部サーバＳＶは、優良顧客関連ボタンＭ０２ｇの「優良顧客復帰希望会員抽出」が選択された場合に、「分析表種類１前回グループ」が「１」であり且つ「分析表種類１今回グループ」が「１」でない会員を自動的に抽出することで、該当する会員を正確に抽出することができる。
また、本部サーバＳＶは、図１０（Ｂ）に示す分析表表示画面Ｍ０２において、「分析表種類１前回グループ」が「１」である会員が割り当てられているセルを識別可能に表示し、各セルにおいて「分析表種類１前回グループ」が「１」である会員の人数を計数して表示する。
【００４９】
以上に説明したように、本発明のデータ分析支援システムは、集客率を向上させるために、宣伝等の販促処理を行えば来店の可能性が非常に高いと推定される会員を容易に抽出することができる。
そして抽出した会員の会員登録情報Ｍ１２からメールアドレスを抽出し、当該メールアドレス宛に特典等を付与した宣伝を送付すれば、集客につながらない無駄な宣伝を行うことなく、より有効な宣伝を行うことができる。
【００５０】
本発明のデータ分析支援システムは、本実施の形態で説明した外観、接続、構成、処理、表示例等に限定されず、本発明の要旨を変更しない範囲で種々の変更、追加、削除が可能である。
本実施の形態の説明では、データ分析支援システムの機能を本部サーバＳＶに持たせた例を説明したが、データ分析支援システムの機能を店舗サーバ１０に持たせてもよい。
利用履歴情報Ｍ１３の形式、各項目、収集方法等は、本実施の形態にて説明したものに限定されるものではない。データ分析支援システムからアクセス可能な記憶手段に記憶されていればよい。また、会員登録情報Ｍ１２の形式、各項目等も、本実施の形態にて説明したものに限定されるこのではない。
また、本実施の形態の説明に用いた数値は一例であり、この数値に限定されるものではない。
【産業上の利用可能性】
【００５１】
本発明のデータ分析支援システムは、遊技場の店舗に限定されず、種々の商品またはサービスを提供する店舗（物理的な店を構えていないインターネット上の店舗も含む）にて適用することが可能である。
【図面の簡単な説明】
【００５２】
【図１】遊技場を店舗の例とした場合において、会員の店舗の利用履歴を示す利用履歴情報を収集するための遊技場内の各機器の接続の例を説明する図である。
【図２】本部サーバＳＶと各店舗サーバ１０との接続の例を説明する図である。
【図３】会員登録情報Ｍ１２の例を説明する図である。
【図４】利用履歴情報Ｍ１３の例を説明する図である。
【図５】メニュー画面Ｍ０１及び分析表表示画面Ｍ０２の表示の例を説明する図である。
【図６】分析表設定画面Ｍ０３の例を説明する図である。
【図７】グループ設定画面Ｍ０４の例を説明する図である。
【図８】分析表表示画面Ｍ０２において１つのセルを選択（指定）して選択したセルと同一のグループに属する会員に関する情報を抽出する動作を説明する図である。
【図９】販売促進効果の高いグループ（第２グループ）の会員を自動的に抽出する例を説明する図である。
【図１０】販売促進効果の高い会員を自動的に抽出する例を説明する図である。
【図１１】会員登録情報Ｍ１２の例を説明する図である。
【図１２】分析表表示画面Ｍ０２において、設定されたグループを識別可能に表示し、セルを選択することなくグループを選択して、選択したグループに属する会員に関する情報を抽出する動作を説明する図である。
【符号の説明】
【００５３】
２        インターネット
１０      店舗サーバ
２０      島ユニット
３０      台ユニット
４０      台端末装置
５０      遊技機
６０      表示装置
７０      プリペイドカード発行機
７１      計数器
７２      景品交換機
８１、８２、８３、９１    通信回線
Ａ、Ｎ    店舗
ＳＶ      本部サーバ（データ分析支援システム）
Ｍ０２      分析表表示画面
Ｍ１２      会員登録情報
Ｍ１３      利用履歴情報
【図１】
2007075341.tif 000003
【図２】
2007075341.tif 000004
【図３】
2007075341.tif 000005
【図４】
2007075341.tif 000006
【図５】
2007075341.tif 000007
【図６】
2007075341.tif 000008
【図７】
2007075341.tif 000009
【図８】
2007075341.tif 000010
【図９】
2007075341.tif 000011
【図１０】
2007075341.tif 000012
【図１１】
2007075341.tif 000013
【図１２】
2007075341.tif 000014